(57)【要約】【課題】異なる量の米を容易に計量できる計量カップを提供する。【解決手段】米の量を量る計量カップであって、筒部とその筒部よりも径の小さい有底筒部とが連結されて形成され、径の異なる筒部と有底筒部の連結部分に段部が形成されたカップ本体と、カップ本体の段部に取り出し自在に設置される仕切板とを備えている。この仕切板を段部に設置した場合、仕切板よりも上方のカップ本体の容量はカップ本体の全体の容量である１合よりも小さい０．５合の容量となる。【選択図】図３
2017072413.tif 000002
【特許請求の範囲】
【請求項１】
米の量を量る計量カップであって、
筒部と当該筒部よりも径の小さい有底筒部とが連結されて形成され、径の異なる前記筒部と前記有底筒部の連結部分に段部が形成されたカップ本体と、
前記カップ本体の段部に取り出し自在に設置される仕切板と
を備えたことを特徴とする計量カップ。
【請求項２】
前記仕切板には、米粒の大きさよりも小さい複数の孔が設けられていることを特徴とする請求項１に記載の計量カップ。
【請求項３】
前記仕切板の中央には持ち手部が設けられていることを特徴とする請求項１又は２に記載の計量カップ。
【請求項４】
前記持ち手部は、前記仕切板を前記段部に設置した際に、前記カップ本体の筒部よりも上方に突出することを特徴とする請求項３に記載の計量カップ。
【請求項５】
前記カップ本体は、前記筒部と前記仕切板の外周部とを連結する折り曲げ自在の連結部を備えたことを特徴とする請求項１〜４の何れかに記載の計量カップ。
【請求項６】
米の量を量る計量カップであって、
有底筒状に形成されたカップ本体と、
前記カップ本体の側面部に回転自在に設けられた仕切板と
を備えたことを特徴とする計量カップ。
【請求項７】
前記カップ本体の側面部に互いに対向するように設けられ、前記仕切板の両端部が着脱自在に嵌合される水平保持部と、
前記カップ本体の底部に設けられ、前記仕切板の一端が着脱自在に嵌合される垂直保持部と
を備えていることを特徴とする請求項６に記載の計量カップ。
【請求項８】
米の量を量る計量カップであって、
有底筒状に形成されたカップ本体と、
前記カップ本体の側面部に互いに対向するように設けられ、カップ本体の高さ方向に延びる案内溝と、
前記案内溝に沿って上下に移動自在の仕切板と、
前記案内溝に設けられ、前記仕切板を上下に移動自在に制止させる制止部と
を備えたことを特徴とする計量カップ。
【発明の詳細な説明】
【技術分野】
【０００１】
本発明は、炊飯器で炊飯する米の量を計量する計量カップの構造に関するものである。
【背景技術】
【０００２】
従来より、炊飯器で炊飯する米を計量する計量カップがある。この計量カップは、計量カップを米びつの中に入れて米をすくい上げ、計量カップの上端部から突出した分の米を、計量カップをゆすることなく、上端部に合せてほぼ平ら（水平）に均すように摺り切ると１合（１８０ｍｌ）となり、炊飯したい米の量を計量するために使用されている（例えば、特許文献１参照）。
最近では、０．５合単位（例えば、０．５合、１．５合、２．５合・・・）で米の量を調整して炊飯するユーザーが増えてきている。前述の計量カップを用いて、米の量を０．５合単位で調節したい場合には、目分量で米の量を計ったり、また、０．５合の目盛りが印刷あるいは刻印された計量カップを用いて米の量を計っている。
【先行技術文献】
【特許文献】
【０００３】
【特許文献１】特許第５６３４０５０号公報
【発明の概要】
【発明が解決しようとする課題】
【０００４】
前記のような計量カップでは、０．５合分の米を計量する場合、計量カップの上端部に合わせて摺り切ることができないため、目分量で、あるいは計量カップに設けられた目盛りに合わせるしかなかった。そのため、正確に合わせるのに注意が必要となったり、目盛りに合わせ難いという使い勝手が良くなかった。
【０００５】
本発明は、前述のような課題を解決するためになされたもので、異なる量の米を容易に計量できる計量カップを提供することを目的とする。
【課題を解決するための手段】
【０００６】
本発明に係る炊飯器の計量カップは、米の量を量る炊飯器の計量カップであって、筒部とその筒部よりも径の小さい有底筒部とが連結されて形成され、径の異なる筒部と有底筒部の連結部分に段部が形成されたカップ本体と、カップ本体の段部に取り出し自在に設置される仕切板とを備えている。
【発明の効果】
【０００７】
本発明によれば、筒部とその筒部よりも径の小さい有底筒部とが連結されて形成され、径の異なる筒部と有底筒部の連結部分に段部が形成されたカップ本体と、カップ本体の段部に取り出し自在に設置される仕切板とを備えている。段部に仕切板が設置された場合と、段部に仕切板が設置されていない場合とでは計量カップの容量が異なり、異なる量の米を容易に計量することができる。
【図面の簡単な説明】
【０００８】
【図１】本発明の実施の形態１に係る計量カップを示す斜視図である。
【図２】図１の計量カップから仕切板を取り外した状態を示す斜視図である。
【図３】図１に示す計量カップの縦断面図である。
【図４】本発明の実施の形態２に係る計量カップを示す縦断面図である。
【図５】本発明の実施の形態３に係る計量カップを示す縦断面図である。
【図６】本発明の実施の形態４に係る計量カップを示す縦断面図である。
【図７】図６の計量カップを上方から見て示す平面図である。
【図８】本発明の実施の形態５に係る計量カップを示す縦断面図である。
【図９】図８の計量カップを上方から見て示す平面図である。
【発明を実施するための形態】
【０００９】
実施の形態１．
図１は本発明の実施の形態１に係る計量カップを示す斜視図、図２は図１の計量カップから仕切板を取り外した状態を示す斜視図、図３は図１に示す計量カップの縦断面図である。
本実施の形態１における計量カップ１０は、図１〜図３に示すように、カップ本体１１と仕切板１２とを備えている。カップ本体１１は、筒部１１ａと、その筒部１１ａよりも径の小さい有底筒部１１ｂとが一体に形成されている。このカップ本体１１は、有底筒部１１ｂの径が筒部１１ａよりも小さく形成されており、この形状により、筒部１１ａと有底筒部１１ｂとの連結部には段部１３が形成されている。このカップ本体１１は全体で１合の容量を有している。
【００１０】
段部１３に仕切板１２を設置した場合、仕切板１２よりも上方のカップ本体１１の容量はカップ本体１１の全体の容量である１合よりも小さい０．５合の容量となる。筒部１１ａの内周面には、図３に示すように、周方向に例えば４つの保持部１４が設けられている。この保持部１４は、凸状に形成され、仕切板１２を段部１３に取り外し自在に固定する。段部１３に設置された仕切板１２は、４つの保持部１４により、計量カップ１０を斜めに傾けても段部１３から外れることはなく、また、計量カップ１０を逆さにしても、段部１３から落下するようなことはない。
【００１１】
仕切板１２は、円形状に形成され、その外周部には上方に突出する外枠１２ａが設けられている。仕切板１２には、米粒の大きさよりも小さい複数の孔１２ｂが設けられている。この複数の孔１２ｂは、仕切板１２を段部１３に設置した際に、カップ本体１１の有底筒部１１ｂ内の空気が上方へ抜けるようにするための通気孔である。複数の孔１２ｂにより、仕切板１２の段部１３上の面を隙間なく段部１３に接触させることができる。
例えば、複数の孔１２ｂの大きさは、一般的に家庭で炊飯される米粒の大きさが約２ｍｍ×５ｍｍ程度であるため、直径２ｍｍ以下である。つまり、カップ本体１１の有底筒部１１ｂ内の空気が上方へ抜ける程度の大きさに形成されている。このように構成することで、米が複数の孔１２ｂを通過し仕切板１２よりも下方に米が入ることを抑制することができる。
【００１２】
前記のように構成された計量カップ１０により、０．５合の米を計量する場合、カップ本体１１内に仕切板１２を収容して、仕切板１２を下方へ押すと、仕切板１２が４つの保持部１４の間を抜けて段部１３に設置される。この状態では、カップ本体１１のうち仕切板１２よりも下方には米が入りにくいため、計量カップ１０を米びつの中に入れて米をすくい上げ、計量カップ１０から盛り上がった米を計量カップ１０の上端部に合わせて摺り切ると、仕切板１２よりも上方のカップ本体１１の容量である０．５合の米を計量できる。
また、１合の米を計量する場合は、カップ本体１１内に設置された仕切板１２を取外す。この状態では、カップ本体１１全体に米が入るため、計量カップ１０を米びつの中に入れて米をすくい上げ、計量カップ１０から盛り上がった米を計量カップ１０の上端部に合わせて摺り切ると、カップ本体１１全体の容量である１合の米を計量できる。
【００１３】
以上のように本実施の形態１によれば、カップ本体１１に段部１３を設け、その段部１３に仕切板１２を設置できるように構成している。この構成により、段部１３に仕切板１２を設置した場合には０．５合の米を容易に計量でき、段部１３に仕切板１２を設置しない場合には１合の米を容易に計量できるため、異なる量の米を容易に計量できる。
また、仕切板１２を段部１３に設置した際に、カップ本体１１の有底筒部１１ｂ内の空気が上方へ抜けるようにする複数の孔１２ｂを設けているので、仕切板１２の段部１３上の面を隙間なく段部１３に接触させることができ、０．５合の米を正確に計量することができる。
【００１４】
なお、本実施の形態１では、カップ本体１１全体の容量は１合、仕切板１２よりも上方のカップ本体１１の容量は０．５合としているが、仕切板１２を設置した場合と設置しない場合の計量カップ１０の容量が異なれば、これの容量に限定されるものではない。
【００１５】
実施の形態２．
図４は本発明の実施の形態２に係る計量カップを示す縦断面図である。なお、実施の形態１と同様の部分には同じ符号を付している。
本実施の形態２における計量カップ１０は、図４に示すように、中央に持ち手部１５が設けられた仕切板１２を備えている。この持ち手部１５の長さは、仕切板１２を段部１３に設置した際に、カップ本体１１の筒部１１ａよりも上方に突出するような長さを有している。
【００１６】
前記のように構成された計量カップ１０により、０．５合の米を計量する場合、仕切板１２に設けられた持ち手部１５を摘んで、その仕切板１２をカップ本体１１内に収容して、仕切板１２を下方へ押すと、仕切板１２が４つの保持部１４の間を抜けて段部１３に設置される。この状態で計量カップ１０を米びつの中に入れて米をすくい上げ、計量カップ１０から盛り上がった米を計量カップ１０の上端部に合わせて摺り切ると、０．５合の米を計量できる。
【００１７】
以上のように本実施の形態２によれば、実施の形態１と同様に、カップ本体１１に段部１３を設け、その段部１３に仕切板１２を設置できるように構成している。この構成により、段部１３に仕切板１２を設置した場合には０．５合の米を容易に計量でき、段部１３に仕切板１２を設置しない場合には１合の米を容易に計量できるため、異なる量の米を容易に計量できる。
【００１８】
また、仕切板１２に、カップ本体１１の筒部１１ａよりも上方に突出する持ち手部１５を設けているので、仕切板１２を容易に段部１３に設置したり、仕切板１２をカップ本体１１から容易に取り出すことができ、計量カップ１０の使い勝手が向上する。
【００１９】
また、仕切板１２を段部１３に設置した際に、カップ本体１１の有底筒部１１ｂ内の空気が上方へ抜けるようにする複数の孔１２ｂを設けているので、仕切板１２の段部１３上の面を隙間なく段部１３に接触させることができ、０．５合の米を正確に計量することができる。
【００２０】
なお、本実施の形態２では、持ち手部１５の長さを、カップ本体１１の筒部１１ａよりも上方に突出する長さとしたが、持ち手部１５の長さを筒部１１ａ内に収まる長さとしても良い。
また、本実施の形態２においても、実施の形態１と同様にカップ本体１１全体の容量は１合、仕切板１２よりも上方のカップ本体１１の容量は０．５合としているが、仕切板１２を設置した場合と設置しない場合の計量カップ１０の容量が異なれば、これらの容量に限定されるものではない。
【００２１】
実施の形態３．
図５は本発明の実施の形態３に係る計量カップを示す縦断面図である。なお、実施の形態１と同様の部分には同じ符号を付している。
本実施の形態３における計量カップ１０は、図５に示すように、カップ本体１１の筒部１１ａと仕切板１２の外周部とを連結する折り曲げ自在の連結部１６を備えている。この連結部１６は、カップ本体１１の筒部１１ａと仕切板１２とに一体になっている。また、仕切板１２の中央には、カップ本体１１の筒部１１ａ内に収まる長さを有する持ち手部１５が設けられている。
【００２２】
筒部１１ａの内周面には、例えば、周方向に１２０°間隔で配置された３つの保持部１４が設けられている。この保持部１４は、凸状に形成され、仕切板１２を段部１３に取り外し自在に固定する。段部１３に設置された仕切板１２は、３つの保持部１４により、計量カップ１０を斜めに傾けても段部１３から外れることはなく、また、計量カップ１０を逆さにしても、段部１３から落下するようなことはない。
【００２３】
前記のように構成された計量カップ１０により、０．５合の米を計量する場合、実施の形態２と同様に、仕切板１２に設けられた持ち手部１５を摘んで、その仕切板１２をカップ本体１１内に収容して、仕切板１２を下方へ押すと、仕切板１２が３つの保持部１４の間を抜けて段部１３に設置される。この状態で計量カップ１０を米びつの中に入れて米をすくい上げ、計量カップ１０から盛り上がった米を計量カップ１０の上端部に合わせて摺り切ると、０．５合の米を計量できる。
【００２４】
１合の米を計量する場合は、仕切板１２に設けられた持ち手部１５を摘んで、その仕切板１２をカップ本体１１から取り出す。この場合、連結部１６により、カップ本体１１に仕切板１２が?がった状態となる。この状態で計量カップ１０を米びつの中に入れて米をすくい上げ、計量カップ１０から盛り上がった米を計量カップ１０の上端部に合わせて摺り切ると、１合の米を計量できる。
【００２５】
以上のように本実施の形態３によれば、実施の形態１と同様に、カップ本体１１に段部１３を設け、その段部１３に仕切板１２を設置できるように構成している。この構成により、段部１３に仕切板１２を設置した場合には０．５合の米を容易に計量でき、段部１３に仕切板１２を設置しない場合には１合の米を容易に計量できるため、異なる量の米を容易に計量できる。
【００２６】
また、仕切板１２に持ち手部１５を設けているので、仕切板１２を容易に段部１３に設置したり、仕切板１２をカップ本体１１から容易に取り出すことができ、計量カップ１０の使い勝手が向上する。
【００２７】
また、仕切板１２を段部１３に設置した際に、カップ本体１１の有底筒部１１ｂ内の空気が上方へ抜けるようにする複数の孔１２ｂを設けているので、仕切板１２の段部１３上の面を隙間なく段部１３に接触させることができ、０．５合の米を正確に計量することができる。
さらに、連結部１６により、カップ本体１１に仕切板１２が?がった状態となっているので、仕切板１２を紛失するようなことがない。
【００２８】
なお、本実施の形態３においても、実施の形態１と同様に、カップ本体１１全体の容量は１合、仕切板１２よりも上方のカップ本体１１の容量は０．５合としているが、仕切板１２を設置した場合と設置しない場合の計量カップ１０の容量が異なれば、これらの容量に限定されるものではない。
【００２９】
実施の形態４．
図６は本発明の実施の形態４に係る計量カップを示す縦断面図、図７は図６の計量カップを上方から見て示す平面図である。なお、実施の形態１と同様の部分には同じ符号を付している。
本実施の形態４における計量カップ２０は、図６に示すように、有底筒上に形成されたカップ本体２１と、カップ本体２１の側面部に回転自在に設けられた仕切板３０とを備えている。
【００３０】
カップ本体２１には、カップ本体２１の側面部に互いに対向するように設けられた水平保持部２３と、カップ本体２１の底部に設けられた垂直保持部２４とが設けられている。水平保持部２３は、それぞれ上下に配置された一対の凸部からなり、仕切板３０を水平にした際に、仕切板３０の両端部が着脱自在に嵌合される。水平に保持された仕切板３０により、カップ本体２１のうちの仕切板３０から上方の容量が０．５合となるように計量カップ２０は形成されている。
【００３１】
垂直保持部２４は、水平保持部２３と同様に、一対の凸部からなり、仕切板３０を垂直状態にした際に、仕切板３０の一端部が着脱自在に嵌合される。仕切板３０が垂直状態の場合においては、カップ本体１１の容量が１合となるように計量カップ２０は形成されている。
【００３２】
また、カップ本体２１の側面部のうちの水平保持部２３から周方向に９０°ずれた位置に、互いに対向する軸受部２２が設けられている。それぞれの軸受部２２は、カップ本体２１の軸心方向に突出しており、上部が開放されたＵ字状に形成されている。なお、開放された上部を下に向けても良い。
【００３３】
前述の仕切板３０は、図７に示すように、円形状に形成され、外周部のうちの軸受部２２と対向する位置に、それぞれ仕切板３０の中心方向に凹む凹部３２が形成されている。また、各凹部３２の中央には、それぞれ軸受部２２に回転自在に嵌め込まれた軸部３１が設けられている。
【００３４】
前記のように構成された計量カップ２０により、０．５合の米を計量する場合、カップ本体２１内に設けられた仕切板３０を軸部３１を支点として回転させ、仕切板３０の両端部を水平保持部２３に嵌め込んで、仕切板３０を水平状態にする。この状態で計量カップ２０を米びつの中に入れて米をすくい上げ、計量カップ２０から盛り上がった米を計量カップ１０の上端部に合わせて摺り切ると、０．５合の米を計量できる。
【００３５】
１合の米を計量する場合は、水平状態の仕切板３０をさらに回転させ、仕切板１２の一端部を垂直保持部２４に嵌め込んで、仕切板３０を垂直状態にする。この状態で計量カップ２０を米びつの中に入れて米をすくい上げ、計量カップ２０から盛り上がった米を計量カップ２０の上端部に合わせて摺り切ると、１合の米を計量できる。
【００３６】
以上のように本実施の形態４によれば、計量カップ２０は有底筒状に形成されたカップ本体２１と、カップ本体２１の側面部に回転自在に設けられた仕切板３０とを備えるよう構成されている。この構成により、カップ本体２１内に回転自在に設けられた仕切板３０を水平状態にした際には０．５合の米を容易に計量でき、仕切板を垂直状態にした際には１合の米を容易に計量できるため、異なる量の米を容易に計量できる。
また、カップ本体２１内に仕切板３０を回転自在に設けているので、仕切板３０を紛失するようなことがない。
【００３７】
なお、本実施の形態４においては、仕切板３０が水平状態の場合における計量カップ２０の容量、すなわちカップ本体２１のうちの仕切板３０から上方の容量は０．５合、仕切板３０が垂直状態の場合における計量カップ２０の容量は１合としているが、仕切板１２が水平の場合と垂直の場合の計量カップ２０の容量が異なれば、これらの容量に限定されるものではない。
【００３８】
実施の形態５．
図８は本発明の実施の形態５に係る計量カップを示す縦断面図、図９は図８の計量カップを上方から見て示す平面図である。なお、実施の形態１、４と同様又は相当部分には同じ符号を付している。
本実施の形態５における計量カップ２０は、図８に示すように、有底筒状に形成されたカップ本体２１と、カップ本体２１の側面部に互いに対向するように設けられ、カップ本体２１の高さ方向に延びる案内溝２７ａと、案内溝２７ａに沿って上下に移動自在の仕切板３０と、案内溝２７ａに設けられ、仕切板３０を上下に移動自在に制止する制止部２５とを備えている。
【００３９】
案内溝２７ａは、カップ本体２１の側面部にそれぞれ設けられた２本のレール２７によって形成されている。それぞれの案内溝２７ａに設けられた制止部２５は、上下に配置された一対の凸部により構成されている、この制止部２５で仕切板３０を制止させた場合、カップ本体２１のうちの仕切板３０から上方の容量が０．５合となる。また、制止部２５よりもカップ本体２１の底部側には、制止部２５と同じ構成の制止部２６が設けられている。この制止部２６で仕切板３０を制止させた場合、カップ本体２１のうちの仕切板３０から上方の容量が１合となる。
【００４０】
仕切板３０は、図９に示すように、円形状に形成され、外周部のうちの案内溝２７ａと対向する位置に、それぞれ仕切板３０の中心方向に凹む凹部３２が形成されている。各凹部３２には、案内溝２７ａを摺動する直方体形状の摺動部３３が設けられている。この摺動部３３が制止部２５又は２６の何れかに嵌り込んだ際に、仕切板３０の上下動が制止される。また、仕切板３０の中央には、仕切板３０そのものを上下動させるための持ち手部１５ａが設けられている。
【００４１】
前記のように構成された計量カップ２０により、０．５合の米を計量する場合、仕切板３０の位置に応じて、仕切板３０を上方あるいは下方へ持ち手部１５ａで移動させ、仕切板３０の摺動部３３を制止部２５に嵌め込んで制止させる。この状態で計量カップ２０を米びつの中に入れて米をすくい上げ、計量カップ２０から盛り上がった米を計量カップ２０の上端部に合わせて摺り切ると、０．５合の米を計量できる。
【００４２】
１合の米を計量する場合は、仕切板３０の摺動部３３を制止部２６に嵌め込んで制止させる。この状態で計量カップ２０を米びつの中に入れて米をすくい上げ、計量カップ２０から盛り上がった米を計量カップ２０の上端部に合わせて摺り切ると、１合の米を計量できる。
【００４３】
以上のように本実施の形態５によれば、有底筒状に形成されたカップ本体２１と、カップ本体２１の側面部に互いに対向するように設けられカップ本体２１の高さ方向に延びる案内溝２７ａと、案内溝２７ａに沿って上下に移動自在の仕切板３０と、案内溝２７ａに設けられ仕切板３０を上下に移動自在に制止させる制止部２５とを備えて構成されている。この構成により、制止部２５に仕切板３０を制止させた状態では０．５合の米を容易に計量でき、制止部２５に仕切板３０を制止させていない状態では１合の米を容易に計算できるため、異なる量の米を容易に計量できる。
また、カップ本体２１内に仕切板３０を上下動自在に設けているので、仕切板３０を紛失するようなことがない。
【００４４】
なお、本実施の形態５においては、仕切板３０が制止部２５に制止した状態におけるカップ本体２１のうちの仕切板３０から上方の容量は０．５合、仕切板３０が制止部２５に制止していない状態、すなわち仕切板３０が制止部２６に制止した状態におけるカップ本体２１のうちの仕切板３０から上方の容量は１合としているが、仕切板１２が制止部２５に制止している状態と制止していない状態の計量カップ２０の容量が異なれば、これらの容量に限定されるものではない。
【符号の説明】
【００４５】
１０  計量カップ、１１  カップ本体、１１ａ  筒部、１１ｂ  有底筒部、１２  仕切板、１２ａ  外枠、１２ｂ  孔、１３  段部、１４  保持部、１５、１５ａ  持ち手部、１６  連結部、２０  計量カップ、２１  カップ本体、２２  軸受部、２３  水平保持部、２４  垂直保持部、２５、２６  制止部、２７  レール、２７ａ  案内溝、３０  仕切板、３１  軸部、３２  凹部、３３  摺動部。
【図１】
2017072413.tif 000003
【図２】
2017072413.tif 000004
【図３】
2017072413.tif 000005
【図４】
2017072413.tif 000006
【図５】
2017072413.tif 000007
【図６】
2017072413.tif 000008
【図７】
2017072413.tif 000009
【図８】
2017072413.tif 000010
【図９】
2017072413.tif 000011